(57)【要約】【課題】  再生時には再生モードの設定が選択可能であっても、再生開始時点では所定のデフォルト設定で再生することが定められている映像メディアにおいては、再生開始後に逐次所望の再生モードに設定し直さなければならなかった。【解決手段】  再生装置を使用中のユーザのユーザ情報を取得するユーザ情報取得手段と、ユーザ情報に対応するプロファイルを取得するユーザプロファイル取得手段と、メディアの再生指示があったとき、初期値の再生モードでメディアを再生する再生手段と、再生が始まった後、取得したプロファイルに含まれる情報に基づき、再生手段の再生モードを変更する設定変更手段とを備えた再生装置とする。【選択図】  図５
2009170050.tif 000002
【特許請求の範囲】
【請求項１】
複数の再生モードが選択可能なメディアを再生する再生装置であって、
この再生装置を使用中のユーザのユーザ情報を取得するユーザ情報取得手段と、
前記ユーザ情報に対応する、あらかじめ記憶したプロファイルを取得するユーザプロファイル取得手段と、
再生指示があったとき、初期値として前記メディアに設定された再生モードにより該メディアを再生する再生手段と、
前記再生が始まった後、取得した前記プロファイルに含まれる情報に基づき、前記再生手段の再生モードを変更する設定変更手段と
を備えたことを特徴とする再生装置。
【請求項２】
複数の前記ユーザ情報を記憶するユーザ情報記憶手段をさらに備え、
前記ユーザ情報取得手段は、複数のユーザ情報のなかから前記使用中のユーザに対応するユーザ情報を取得し、
前記設定変更手段は、以前に使用中のユーザに対応するプロファイルに含まれる情報に関わらず再生モードを変更する
ことを特徴とする、請求項１に記載の再生装置。
【請求項３】
前記設定変更手段は、前記プロファイルに含まれる年齢情報と、前記メディアに設定されている年齢制限情報に基づき、再生を停止するよう前記再生手段の再生モードを変更することを特徴とする、請求項１に記載の再生装置。
【請求項４】
前記設定変更手段は、前記プロファイルに含まれる年齢情報に基づき、所定の部分の再生を制限する前記メディアに設定された保護者機能を有効にするよう前記再生手段の再生モードを変更することを特徴とする、請求項１に記載の再生装置。
【請求項５】
複数の再生モードが選択可能なメディアを再生する再生方法であって、
この再生装置を使用中のユーザのユーザ情報を取得し、
前記ユーザ情報に対応する、あらかじめ記憶したプロファイルを取得し、
再生指示があった場合、初期値として前記メディアに設定された再生モードにより該メディアを再生し、
前記再生が始まった後、取得した前記プロファイルに含まれる情報に基づき、前記再生手段の再生モードを変更する
ことを特徴とする再生方法。
【請求項６】
前記再生モード変更の際、前記プロファイルに含まれる年齢情報と、前記メディアに設定されている年齢制限情報を比較し、
この年齢情報がこの年齢制限情報に満たない場合には、前記メディアの再生を停止するよう前記再生モードを変更することを特徴とする請求項５に記載の再生方法。
【請求項７】
前記再生モード変更の際、前記プロファイルに含まれる年齢情報が所定の年齢に満たない場合、
所定の部分の再生を制限する前記メディアに設定された保護者機能を有効にするよう前記再生手段の再生モードを変更することを特徴とする、請求項５に記載の再生方法。
【請求項８】
情報処理装置で実行可能な、複数の再生モードが選択可能なメディアを再生する再生プログラムであって、
この情報処理装置を使用中のユーザのユーザ情報を取得し、
前記ユーザ情報に対応する、あらかじめ記憶したプロファイルを取得し、
再生指示があった場合、初期値として前記メディアに設定された再生モードにより該メディアを再生し、
前記再生が始まった後、取得した前記プロファイルに含まれる情報に基づき、前記再生手段の再生モードを変更する
ことを特徴とする再生プログラム。
【請求項９】
前記再生モード変更の際、前記プロファイルに含まれる年齢情報と、前記メディアに設定されている年齢制限情報を比較し、
この年齢情報がこの年齢制限情報に満たない場合には、前記メディアの再生を停止するよう前記再生モードを変更することを特徴とする請求項８に記載の再生プログラム。
【請求項１０】
前記再生モード変更の際、前記プロファイルに含まれる年齢情報が所定の年齢に満たない場合、
所定の部分の再生を制限する前記メディアに設定された保護者機能を有効にするよう前記再生手段の再生モードを変更することを特徴とする、請求項８に記載の再生プログラム。
【発明の詳細な説明】
【技術分野】
【０００１】
本発明は、映像メディアの再生方法に関し、特に再生開始後に再生設定の変更が可能となる映像メディアの再生装置、再生方法および再生プログラムに関する。
【背景技術】
【０００２】
近年、映画などの映像コンテンツがDVD（Digital Versatile Disk）やHD DVDのような映像メディアの形で流通するようになっている。こういった大容量の映像メディアによる配布では記憶容量の制限が緩和されたこともあり、アングルや音声の言語等いくつかの再生モードが選択できるようになっている。
【０００３】
一方、映像コンテンツの製作者の創作意図や著作権を尊重するという理由から、配布された態様での再生が義務付けられている部分もある。特に再生初期の再生モードは配布されたままでの再生が規格上定められており、好みの再生モードにするには再生開始後に都度行わねばならかなった。
【０００４】
車載型の再生装置で、走行時と停止時で、設定値とデフォルト値を使い分けるようにした再生装置が提案されている（特許文献１を参照）。
【特許文献１】特開２００６−２９４０８０号公報
【発明の開示】
【発明が解決しようとする課題】
【０００５】
再生時には再生モードの設定が選択可能であっても、再生開始時点では所定のデフォルト設定で再生することが定められている映像メディアにおいては、再生開始後に逐次所望の再生モードに設定し直さなければならなかった。
【０００６】
本発明は上記問題に鑑みてなされたもので、再生が開始された映像メディアの情報に基づき、あらかじめ定めた所望の再生モードが適用されるようにした再生装置、再生方法および再生プログラムを提供することを目的とする。
【課題を解決するための手段】
【０００７】
本発明にかかる入力装置とすれば、
複数の再生モードが選択可能なメディアを再生する再生装置であって、この再生装置を使用中のユーザのユーザ情報を取得するユーザ情報取得手段と、前記ユーザ情報に対応する、あらかじめ記憶したプロファイルを取得するユーザプロファイル取得手段と、再生指示があったとき、初期値として前記メディアに設定された再生モードにより該メディアを再生する再生手段と、前記再生が始まった後、取得した前記プロファイルに含まれる情報に基づき、前記再生手段の再生モードを変更する設定変更手段とを備えたことを特徴とする再生装置が提供される。
【０００８】
また、本発明にかかる再生方法は、
複数の再生モードが選択可能なメディアを再生する再生方法であって、この再生装置を使用中のユーザのユーザ情報を取得し、前記ユーザ情報に対応する、あらかじめ記憶したプロファイルを取得し、再生指示があった場合、初期値として前記メディアに設定された再生モードにより該メディアを再生し、前記再生が始まった後、取得した前記プロファイルに含まれる情報に基づき、前記再生手段の再生モードを変更することを特徴とする。
【０００９】
また、本発明にかかる再生プログラムは、
情報処理装置で実行可能な、複数の再生モードが選択可能なメディアを再生する再生プログラムであって、この情報処理装置を使用中のユーザのユーザ情報を取得し、前記ユーザ情報に対応する、あらかじめ記憶したプロファイルを取得し、再生指示があった場合、初期値として前記メディアに設定された再生モードにより該メディアを再生し、前記再生が始まった後、取得した前記プロファイルに含まれる情報に基づき、前記再生手段の再生モードを変更することを特徴とする。
【発明の効果】
【００１０】
再生が開始された映像メディアの情報に基づき、あらかじめ定めた所望の再生モードが適用されるようにした再生装置、再生方法および再生プログラムが提供される。
【発明を実施するための最良の形態】
【００１１】
（本実施形態）
図１は、本実施形態にかかる情報処理装置の一例を示す図である。図１では、ＰＣ１００、ディスプレイ１０１、キーボード１０２およびメディア１０３が示されている。
【００１２】
ＰＣ１００は、ノートブック型のパソコンである。ＰＣ１００は、この態様に限定されずＤＶＤなどのメディアを読み込むドライブが接続されたデスクトップ型であってもかまわない。
【００１３】
ディスプレイ１０１は、ＰＣ１００に搭載された表示装置である。たとえばＬＣＤ（Liquid Crystal Display）のようなもので、ＰＣ１００がユーザに対し情報を表示する。
【００１４】
キーボード１０２は、ＰＣ１００本体に設けられておりユーザはキーボード１０２を打鍵することによりＰＣ１００に様々な指示を与えることができる。
【００１５】
メディア１０３は、たとえば映像コンテンツが収録されたＤＶＤである。こういった配布可能なメディアだけにとらわれず、種々の再生方法が可能で、かつ再生初期の再生方法がコンテンツ毎に定められている配信媒体であれば良い。たとえば、ストリーミング配信を行う各種ネットワークであってもかまわない。
【００１６】
図２は、本実施形態にかかるＰＣ１００のブロック構成図の一例を示す図である。図２には、ＣＰＵ２００、メインメモリ２０１、バスコントローラ２０２、ＨＤＤ２０３、入出力コントローラ２０４およびＤＶＤドライブ２０５が示されている。
【００１７】
ＣＰＵ２００は中央演算処理装置（Central Processing Unit）であり、ＰＣ１００全体を制御している。またプログラムを実行し、そのプログラムに応じた所定の処理を実行する機能を有している。
【００１８】
メインメモリ２０１は半導体メモリにより構成され、ＣＰＵ２００がプログラムを処理する際のプログラムおよびデータの格納用領域として利用される。
【００１９】
バスコントローラ２０２は、情報機器１００の各構成要素の間の情報を伝達するためのバスを制御する機能を有する。ＣＰＵ２００からの指示はバスを介してメインメモリ２０１内のデータを読み書きし、あるいは他の機器に指示を与える。
【００２０】
ＨＤＤ２０３は、磁気ディスクドライブ（Hard Disk Drive）装置を指す。ここにはＣＰＵ２００で処理するプログラムや一時ファイル、およびその他の不揮発なデータを記憶することができる。本実施形態ではＨＤＤを対象としているが、大容量の半導体メモリによって構成されていても差し支えない。所定の記憶装置として機能すれば足りる。
【００２１】
入出力コントローラ２０４は、ＣＰＵ２００とディスプレイ１０１のような各種入出力装置とのインタフェースを提供する機能を有する。
【００２２】
ＤＶＤドライブ２０５は、ＤＶＤメディアに記録されたコンテンツを読み出すことが可能な、ＰＣ１００本体内に内蔵されたドライブ装置である。本実施形態ではＰＣ１００への内蔵型ドライブを想定しているが、ＤＶＤメディアからの読み出しができる限り、外部接続されたドライブであってもかまわない。
【００２３】
図３は、本実施形態にかかるＰＣ１００の機能ブロック図の一例を示す図である。図３には、コンテンツ読出部３００、ＤＥＭＵＸ部３０１、再生設定変更部３０２、コンテンツ再生部３０３、ユーザアカウント読出部３０４、プロファイル設定記憶部３０５および対応プロファイル設定部３０６が示されている。
【００２４】
コンテンツ読出部３００は、ＤＶＤドライブ２０５を介してメディア１０３から、それに記録されたコンテンツを読み出す機能を有する。
【００２５】
ＤＥＭＵＸ部３０１は、メディア１０３から読み出したコンテンツを各種の情報に分離する機能を有する。ＤＶＤフォーマットの場合、メディア１０３に記憶できる情報は、別のアングルから撮影した複数の映像情報や字幕情報、メニュー情報および再生初期設定値などが記録されている。これらをそれぞれの情報として扱うことが可能となる。
【００２６】
再生設定変更部３０２は、ＤＥＭＵＸ部３０１で分離した各種の情報に基づき、コンテンツの再生方法を変更する機能を有する。ＤＶＤ規格によれば、再生するコンテンツの再生はコンテンツ毎に所定の方法が定められており、これが再生初期設定値として収められている。再生設定変更３０２はコンテンツの再生し始める時、この再生初期設定値に従った再生をするようにコンテンツ再生部に対して指示する。
【００２７】
コンテンツ再生部３０３は、ＤＥＭＵＸ部３０１で分離した情報を映像として再生する機能を有する。たとえば、どのアングルの映像を、どの言語の字幕や音声を再生するかといった選択可能なものについては、再生設定変更部３０２からの指示に従う。
【００２８】
ユーザアカウント読出部３０４は、現在ＰＣ１００を使用中の（ログオンしている）ユーザのアカウントを読み出す機能を有する。どのユーザアカウントで使用されているかは、たとえばＯＳ（Operating System）に用意されたインタフェースを介することで取得できる。
【００２９】
プロファイル設定記憶部３０５は、ユーザアカウントごとに、そのユーザに対応するプロファイルを記憶している。プロファイルとはいわば設定情報の集まりのことである。
【００３０】
対応プロファイル設定部３０６は、ユーザアカウント読出部３０４で取得したユーザアカウントに対応するユーザプロファイルをプロファイル設定記憶部３０５より読み出し、そのプロファイルで示す設定で再生するよう再生設定変更部３０２に指示する機能を有する。
【００３１】
このように構成するとＰＣ１００のように複数のユーザで共有される機器において、ログイン中の視聴するユーザごとに所望の再生方法で自動再生させることができ、再生時に再度設定し直すと言った手間が省かれる。
【００３２】
図４は、本実施形態にかかるユーザプロファイルの一例を示す図である。ユーザＡというユーザアカウントに対し、プロファイルＡがユニークに対応しており、同様にユーザＢにはプロファイルＢが対応している。
【００３３】
ユーザプロファイルには、字幕の有無、字幕の言語、音声の言語、ユーザの年齢といった項目が含まれている。字幕の有無は、再生するコンテンツに字幕情報がある場合に、その字幕を画面に表示するか否かを指定する。字幕が複数の言語で記録されている場合には、所望の言語を字幕の言語の項目にあらかじめ設定しておくと、自動的にその言語で再生される。音声の言語も、音声の所望の言語を指定しておけばコンテンツにその音声情報が含まれている場合には自動で選択再生される。ユーザの年齢情報は、ペアレントロック（parent lock）といった、保護者が子供に有害なコンテンツを見せないために視聴を制限する機構や、年齢制限のあるコンテンツを視聴させないようにする目的で利用することができる。
【００３４】
例示した項目はＤＶＤ再生に関連した項目だけであり、これ以外にも様々な項目を設けることが可能である。
【００３５】
図５は、本実施形態にかかる処理フローの一例を示す図である。
【００３６】
まず、ＰＣ１００を操作しているユーザのユーザアカウントをＯＳから取得し、それに対応するユーザプロファイルをプロファイル設定記憶部３０５から読み込む（ステップＳ０１）。
【００３７】
次にＤＶＤドライブ２０５に挿入されたメディア１０３の再生を開始する（ステップＳ０２）。このとき、メディア１０３に記録された再生初期設定値に従った設定を再生設定変更部３０２がコンテンツ再生部３０３に指示し、再生が開始される。このように構成すると、規格上、所定の再生設定で再生を始めなければならないコンテンツの配布条件を満足させることができる。
【００３８】
次にステップＳ０１で読み込んだユーザプロファイルに記載された設定値で再生するよう、対応プロファイル設定部３０６は再生設定変更部３０２に指示をする（ステップＳ０３）。
【００３９】
次にメディア１０３に記録されているコンテンツに年齢制限がある場合、ユーザプロファイルとして読み込んだ年齢のユーザが視聴制限されるコンテンツか否かを判定する（ステップＳ０４）。年齢制限にかかる場合には（Ｙｅｓ）、視聴できないコンテンツである旨をエラー表示して一連の処理フローを終了する。
【００４０】
ステップＳ０４で年齢制限にかかっていない場合（Ｎｏ）、次にペアレントロックすべきか否かを判定する（ステップＳ０６）。これはペアレントロックが施されているコンテンツの場合に判定される。判定に際しては、たとえばユーザプロファイルで示す年齢とペアレントロックの対象年齢とを比較することで判定することができる。
【００４１】
このように構成すると、たとえば１８禁とされているものを指定よりも若年者が視聴できないなど、年齢的に不適切なＤＶＤソフトを再生しようとした場合に、自動的に再生を停止することができる。
【００４２】
判定の結果、ペアレントロックを適用しないと判定した場合（Ｎｏ）、ペアレントロックをＯＦＦにして再生を続ける（ステップＳ０７）。
【００４３】
一方、ペアレントロックをそのコンテンツに適用する場合（Ｙｅｓ）、ペアレントロックをＯＮにして再生する（ステップＳ０８）。
【００４４】
このように構成すると、残虐なシーンなどの年齢的に不適切と考えられるシーンは自動的にカットされるようにできる。
【００４５】
すなわち、再生が開始された映像メディアの情報に基づき、あらかじめ定めた所望の再生モードが適用されるように構成できる。
【００４６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４７】
【図１】本実施形態にかかる情報処理装置の一例を示す図である。
【図２】本実施形態にかかる情報処理装置のブロック構成図の一例を示す図である。
【図３】本実施形態にかかる情報処理装置の機能ブロック図の一例を示す図である。
【図４】本実施形態にかかるユーザプロファイルの一例を示す図である。
【図５】本実施形態にかかる処理フローの一例を示す図である。
【符号の説明】
【００４８】
１００・・・ＰＣ、１０１・・・ディスプレイ、１０２・・・キーボード、１０３・・・メディア、２００・・・ＣＰＵ、２０１・・・メインメモリ、２０２・・・バスコントローラ、２０３・・・ＨＤＤ、２０４・・・入出力コントローラ、２０５・・・ＤＶＤドライブ、３００・・・コンテンツ読出部、３０１・・・ＤＥＭＵＸ部、３０２・・・再生設定変更部、３０３・・・コンテンツ再生部、３０４・・・ユーザアカウント読出部、３０５・・・プロファイル設定記憶部
【図１】
2009170050.tif 000003
【図２】
2009170050.tif 000004
【図３】
2009170050.tif 000005
【図４】
2009170050.tif 000006
【図５】
2009170050.tif 000007